(57)【要約】【課題】蓋を紛失するおそれなく蓋を容器の下に容易に配置することができるヘアピンケースを提供する。【解決手段】ヘアピンケース１０は、上面１４が開口する容器１２と、容器１２の上面１４を覆う蓋１６と、蓋１６を容器１２に対して開閉できるように蓋１６および容器１２のそれぞれの後部を連結する連結部材１８とを備える。蓋１６を閉じた状態から蓋１６の上面４８が容器１２の下面３８と対向するように蓋１６が容器１２の下に配置される状態まで、蓋１６は連結部材１８を介し容器１２に対して揺動可能である。容器１２はその外周に第１突出部３０を有し、蓋１６はその外周下端部に第２突出部４６を有し、蓋１６を閉じた状態では第１突出部３０と第２突出部４６とは接する。第２突出部４６の下面に滑り止め部材６８が設けられる。【選択図】図２
2011167437.tif 000002
【特許請求の範囲】
【請求項１】
上面が開口する容器と、
前記容器の上面を覆う蓋と、
前記蓋を前記容器に対して開閉できるように前記蓋および前記容器のそれぞれの後部を連結する連結部材とを備え、
前記蓋を閉じた状態から前記蓋の上面が前記容器の下面と対向するように前記蓋が前記容器の下に配置される状態まで、前記蓋は前記連結部材を介し前記容器に対して揺動可能である、ヘアピンケース。
【請求項２】
前記蓋の下面に設けられる滑り止め部材をさらに含む、請求項１に記載のヘアピンケース。
【請求項３】
前記容器はその外周に第１突出部を有し、前記蓋はその外周下端部に第２突出部を有し、前記蓋を閉じた状態では前記第１突出部と前記第２突出部とは接し、前記第２突出部の下面に前記滑り止め部材が設けられる、請求項２に記載のヘアピンケース。
【請求項４】
前記蓋を閉じた状態において前記蓋を前記容器に固定できかつ前記蓋が前記容器の下に配置される状態において前記蓋を前記容器に固定できるように、前記容器の前面に揺動可能に設けられる固定部材をさらに含む、請求項１から３のいずれかに記載のヘアピンケース。
【発明の詳細な説明】
【技術分野】
【０００１】
この発明はヘアピンケースに関し、より特定的には、ヘアピンを収納する容器と容器に被せられる蓋とを備えるヘアピンケースに関する。
【背景技術】
【０００２】
従来、頭部の毛髪を所望の位置に固定するものとしてヘアピンが用いられている。美容院や美容専門学校ではヘアピンを多数使用するため、ヘアピンを種類毎に分けて収納することができるヘアピンケースを用いる。
【０００３】
一般的にヘアピンケースはヘアピンを収納する容器と容器に被せられる蓋とを備え、ヘアピンケースを持ち運ぶ際には蓋を閉じ、ヘアピンケースを使用する際には蓋を開ける。開けた後の蓋は、ヘアピンケースを使う作業の邪魔にならないように容器の下に置かれることが好ましい。
【０００４】
特許文献１には、ヘアピンを収納するケース本体内に複数の収納部を設け、ケース本体に被せられる蓋としてケースカバーを備えたヘアピンケースが開示されている。特許文献１に開示されているヘアピンケースでは、ケース本体とケースカバーとはヒンジによって接続されている。ヒンジは雌雄間で取り外しが可能な構成であるため、ケースカバーをケース本体から取り外してケース本体の下に置くことができる。ヘアピンケースを開けた後ケースカバーをケース本体の下に置いておくと、ヘアピンケースを使う作業の際ケースカバーが邪魔になることを防止できる。
【先行技術文献】
【特許文献】
【０００５】
【特許文献１】特許第３８９４８０８号公報
【発明の概要】
【発明が解決しようとする課題】
【０００６】
しかし、特許文献１に開示されているヘアピンケースでは、ケースカバーをケース本体の下に置くためにはヒンジの雌雄を取り外す必要があり、ケースカバーをケース本体から取り外すためには手間がかかる。ケース本体から取り外されたケースカバーはケース本体と別体になり紛失するおそれがある。また、ヘアピンケースを使用した後ケース本体にケースカバーを被せるときにはケース本体にヒンジを介してケースカバーを取り付ける必要があり手間がかかる。
【０００７】
それゆえに、この発明の主たる目的は、蓋を紛失するおそれなく蓋を容器の下に容易に配置することができるヘアピンケースを提供することである。
【課題を解決するための手段】
【０００８】
上述の目的を達成するために、請求項１に記載のヘアピンケースは、上面が開口する容器と、容器の上面を覆う蓋と、蓋を容器に対して開閉できるように蓋および容器のそれぞれの後部を連結する連結部材とを備え、蓋を閉じた状態から蓋の上面が容器の下面と対向するように蓋が容器の下に配置される状態まで、蓋は連結部材を介し容器に対して揺動可能であることを特徴とする。
【０００９】
請求項２に記載のヘアピンケースは、請求項１に記載のヘアピンケースにおいて、蓋の下面に設けられる滑り止め部材をさらに含むことを特徴とする。
【００１０】
請求項３に記載のヘアピンケースは、請求項２に記載のヘアピンケースにおいて、容器はその外周に第１突出部を有し、蓋はその外周下端部に第２突出部を有し、蓋を閉じた状態では第１突出部と第２突出部とは接し、第２突出部の下面に滑り止め部材が設けられることを特徴とする。
【００１１】
請求項４に記載のヘアピンケースは、請求項１から３のいずれかに記載のヘアピンケースにおいて、蓋を閉じた状態において蓋を容器に固定できかつ蓋が容器の下に配置される状態において蓋を容器に固定できるように、容器の前面に揺動可能に設けられる固定部材をさらに含むことを特徴とする。
【００１２】
なお、この発明における「上下」とは、蓋を閉じた状態のヘアピンケースにおける上下を意味する。
【００１３】
また、「揺動」とは、３６０°以下の角度で正逆回転することをいう。
【００１４】
請求項１に記載のヘアピンケースでは、容器と蓋とは常に連結部材によって連結されている。ヘアピンケースを使用する際には、蓋を連結部材を介して容器に対して揺動させると、蓋の上面が容器の下面に対向するように蓋が容器の下に配置される。このように蓋を容器から取り外すことなく容器と蓋とを連結したまま蓋を容器の下に容易に配置することができる。そのため、蓋を容器から取り外す（別体とする）手間が省けかつ蓋の紛失を防止できる。また、蓋を閉じる際にも蓋を容器に取り付ける手間が省ける。
【００１５】
請求項２に記載のヘアピンケースでは、容器の下に蓋を配置した状態でヘアピンケースをたとえば机の上に置くと、蓋の下面に設けられた滑り止め部材が机に接する。ヘアピンケースが机の上を滑ることを滑り止め部材によって防止できるので、ヘアピンケースを使用する際にヘアピンケースが動くことを防止できる。
【００１６】
請求項３に記載のヘアピンケースでは、滑り止め部材は蓋を閉じているときには容器の第１突出部と蓋の第２突出部との間に挟まれヘアピンケースの外側に突出しない。そのため、ヘアピンケースを持ち運ぶとき滑り止め部材には物が当たりにくい。したがって、滑り止め部材が傷つくことを防止できる。また、たとえばヘアピンケースを鞄に入れるときやヘアピンケースを縦にして書棚にしまうとき、滑り止め部材が容器の下面に設けられている場合とは異なり、滑り止め部材が周りの物に接触しないので、ヘアピンケースを所望の空間に円滑に収納することができる。
【００１７】
請求項４に記載のヘアピンケースでは、容器に設けられた固定部材は揺動することによって蓋を閉じた状態および蓋が容器の下に配置された状態の両方の状態で蓋を容器に固定することができる。蓋を閉じた状態においては、たとえば、ヘアピンケースを縦や上下逆さまにしても蓋が開くことはないため、容器に収納されたヘアピンが飛び出してしまうことを防止できる。また、蓋が容器の下に配置される状態においては、たとえば、容器のみを掴んでヘアピンケースを持ち上げたとしても蓋が宙吊りになることはなく、蓋が他の物に当たったり、蓋に引っ張られてヘアピンケースが手から落ちてしまうことを防止できる。このヘアピンケースでは、蓋を閉じた状態および蓋が容器の下に配置された状態のそれぞれにおいて別々の固定手段を設ける必要がない。したがって、ヘアピンケースの部品点数を削減することができ、ヘアピンケースの製造コストを削減することができる。
【発明の効果】
【００１８】
この発明によれば、蓋を紛失するおそれなく蓋を容器の下に容易に配置することができるヘアピンケースを得ることができる。
【図面の簡単な説明】
【００１９】
【図１】この発明の一実施形態のヘアピンケースを示す斜視図である。
【図２】図１のヘアピンケースにおいて蓋を開けた状態を示す斜視図である。
【図３】（ａ）は容器の一例を示す平面図であり、（ｂ）は容器の一例を示す下面図である。
【図４】（ａ）は蓋の一例を示す平面図であり、（ｂ）は蓋の一例を示す下面図である。
【図５】連結部材の一例を示す斜視図である。
【図６】固定部材の一例を示す斜視図である。
【図７】図１のヘアピンケースを示す側面図である。
【図８】図１のヘアピンケースにおいて蓋を開けた状態を示す側面図である。
【図９】図１のヘアピンケースにおいて蓋を容器の下に配置した状態を示す側面図である。
【図１０】図１のヘアピンケースにおいて蓋を容器の下に配置した状態を示す斜視図である。
【発明を実施するための形態】
【００２０】
以下、この発明の実施形態について図面を参照して説明する。なお、この発明における上下とは、蓋１６を閉じた状態のヘアピンケース１０における上下を意味する。
図１はこの発明の一実施形態のヘアピンケース１０を示す斜視図である。図２は蓋１６を開いた状態のヘアピンケース１０を示す斜視図である。図１および図２において矢印Ａ−Ａで示される方向を前後方向とし、固定部材２０側を前、連結部材１８側を後とする。また、矢印Ｂ−Ｂで示される方向を横（左右）方向とする。なお、蓋１６については、容器１２に被せられる状態（図１の状態）を基準とする。
【００２１】
図１および図２を参照して、ヘアピンケース１０は、容器１２、容器１２の上面１４を覆う蓋１６、容器１２と蓋１６とを連結する２つの連結部材１８、および蓋１６を容器１２に固定する２つの固定部材２０を備える。
【００２２】
図３（ａ）は上方から見た容器１２を示す平面図であり、図３（ｂ）は下方から見た容器１２を示す下面図である。また、下記の長さＣおよびＤは図３に矢印で示される箇所の寸法である。
【００２３】
図３（ａ）および図２を参照して、容器１２は上方から見て長辺方向の長さＣが略２９５ｍｍ、短辺方向の長さＤが略１８１ｍｍの略長方形の外形を有する。容器１２はその内部に仕切り部２２によって区画された収納部２４ａ〜２４ｈを含む。各収納部２４ａ〜２４ｈの上面は開口され、各収納部２４ａ〜２４ｈ内にはたとえばヘアピンや櫛を収納できる。容器１２の前側両隅近傍の収納部２４ｅおよび２４ｈにはそれぞれローラ２６が取り付けられている。ローラ２６は内部に磁石を有する。また、容器１２の中央付近に位置する収納部２４ｃおよび２４ｄを形成するための仕切り部２２には、仕切り部２２を上方から削り取ったような切欠部２８が形成されている。
【００２４】
容器１２は、その外周に鍔状の第１突出部３０を有する。第１突出部３０には垂直方向下側にわずかに凹んだ４つの第１凹部３２が設けられている。第１凹部３２は上方から見ると長方形であり、図３（ａ）における左右にそれぞれ２つずつ設けられている。
【００２５】
容器１２は、その後面に連結部材１８を取り付けるための２つの第１取付部３４を有し、その前面に固定部材２０を取り付けるための２つの第３取付部３６を有する（第２取付部は後述する）。第１取付部３４は、取付部本体３４ａと取付部本体３４ａの両側に設けられる２つの棒状部３４ｂとを含む。第３取付部３６は、棒状部３６ａと棒状部３６ａの両端を容器１２の前面に連結するための２つの連結部３６ｂとを含む。
【００２６】
図３（ｂ）を参照して、容器１２の下面３８は、収納部２４ａ〜２４ｈおよび仕切り板２０の裏側である下面４０と、第１突出部３０の下面４２とを含む。下面４０は、収納部２４ａ〜２４ｈの形状に応じて起伏のついた形状を有する。下面４２には、図３（ｂ）に示すように、左側に位置する２つの第１凹部３２の裏にあたる部分にそれぞれリブ４４が設けられている。リブ４４は容器１２の側面から水平方向に突出しかつ下面４２から下方に突出した突起である。
【００２７】
図４（ａ）は上方から見た蓋１６を示す平面図であり、図４（ｂ）は下方から見た蓋１６を示す下面図である。また、下記の長さＥおよびＦは図４に矢印で示される箇所の寸法である。
【００２８】
図４（ａ）および図１を参照して、蓋１６は上方から見て長辺方向の長さＥが略２９５ｍｍ、短辺方向の長さＦが略１８１ｍｍの略長方形の外形を有する。この実施形態では、蓋１６の平面視の外形寸法は容器１２の平面視の外形寸法と略等しく設定されている。
【００２９】
蓋１６は、その外周下端部に鍔状の第２突出部４６を有する。蓋１６の上面４８は、蓋１６を閉じた状態のヘアピンケース１０の上端である上面５０と、第２突出部４６の上面５２とを含む。上面５０の中央にはわずかに凹んだ第２凹部５４が設けられており、たとえばシール等を貼り付けることができる。第２凹部５４の左右には複数の筋を有する筋状部５６が設けられている。上面５２には、容器１２の下面４２に設けられた２つのリブ４４（図３（ｂ）参照）のそれぞれ上方に位置するように２つのリブ５８が設けられている。リブ５８は蓋１６の側面から水平方向に突出しかつ上面５２から上方に突出した突起である。
【００３０】
図４（ｂ）および図２を参照して、蓋１６の下面６０は、蓋１６を閉じた状態において容器１２の上面１４に対向する下面６２と、第２突出部４６の下面６４とを含む。下面６２と下面６４とは、ほぼ容器１２の上面５０が上面５２よりも上方に突出している高さ分だけ、垂直方向に距離を隔てて設けられている。下面６４にはわずかに垂直方向に突出する長方形の４つの枠６６が形成されている。各枠６６の内側には、枠６６よりも垂直方向に突出する滑り止め部材６８が設けられている。滑り止め部材６８としては、たとえばゴム、プラスチック、スポンジ、皮革などの滑り止め機能を有する任意の材料が用いられる。
【００３１】
蓋１６は、その前面に設けられかつ固定部材２０を係止するための２つの係止部７０を有し、その後面に設けられかつ連結部材１８を取り付けるための２つの第２取付部７２を有する。係止部７０は、蓋１６の前面から突出する板状の係止部本体７０ａと係止部本体７０ａの前端部に設けられ上下方向にわずかに膨らむ凸部７０ｂとを含む。第２取付部７２は、第１取付部３４と同様、取付部本体７２ａと取付部本体７２ａの両側に設けられる２つの棒状部７２ｂとを含む。
【００３２】
図５は連結部材１８を示す斜視図である。図５においては矢印Ｌで示される方向を縦方向、矢印Ｓで示される方向を横方向、矢印Ｖで示される方向を垂直方向とする。
【００３３】
図５を参照して、連結部材１８は垂直方向から見て略Ｈ字形状を有する。連結部材１８は縦方向に突出する２組の第１結合部７４および第２結合部７６を含む。第１結合部７４および第２結合部７６はそれぞれ、中空の略円筒形状を有し、側面から中空部分に向かって円筒の一部が開口されている。また、連結部材１８の中央には略四角形状に開口する穴部７８が設けられている。横方向に並んだ一組の第１結合部７４がそれぞれ容器１２の第１取付部３４の対応する棒状部３４ｂを掴むように第１結合部７４と第１取付部３４とが結合されることによって、連結部材１８は容器１２に取り付けられる（図７〜図９参照）。同様にして、横方向に並んだ他組の第２結合部７６がそれぞれ蓋１６の第２取付部７２の対応する棒状部７２ｂを掴むように第２結合部７６と第２取付部７２とが結合されることによって、連結部材１８は蓋１６に取り付けられる（図７〜図９参照）。このように連結部材１８は容器１２と蓋１６とに取り付けられ、蓋１６を容器１２に対して開閉可能に連結する。このとき、容器１２と連結部材１８とは相互に相対的に揺動可能であり、蓋１６と連結部材１８とは相互に相対的に揺動可能である。
【００３４】
図６は固定部材２０を示す斜視図である。図６においては矢印Ｌで示される方向を縦方向、矢印Ｓで示される方向を横方向、矢印Ｖで示される方向を垂直方向とする。
【００３５】
図６を参照して、固定部材２０は、垂直方向に貫通する貫通孔８０ａを有する略角環状の固定部材本体８０と、固定部材本体８０から縦方向に突出した２つの第３結合部８２とを有する。第３結合部８２はそれぞれ、中空の略円筒形状を有し、側面から中空部分に向かって円筒の一部が開口されている。また、貫通孔８０ａを形成する壁面には略三角柱状の突起８４が設けられている。横方向に並んだ２つの第３結合部８２が容器１２の第３取付部３６の棒状部３６ａを掴むように第３結合部８２と第３取付部３６とが結合されることによって、固定部材２０は容器１２に揺動可能に取り付けられる（図７〜９参照）。
【００３６】
以下、この実施形態のヘアピンケース１０の使用方法を述べる。
図７は蓋１６が閉じた状態のヘアピンケース１０を示す側面図である。
【００３７】
図７を参照して、容器１２と蓋１６とはそれぞれの後部で連結部材１８を介して連結されている。蓋１６は容器１２の上面１４を覆うように容器１２に被せられる。このとき、容器１２の第１突出部３０と蓋１６の第２突出部４６とは互いの外縁が沿うように接する。第１突出部３０の第１凹部３２と第２突出部４６の枠６６の位置は対応し、蓋１６の下面６４の枠６６内に設けられた滑り止め部材６８は第１凹部３２に接する。また、蓋１６を閉じた状態を維持するため、容器１２に取り付けられた固定部材２０を揺動させ、固定部材２０の貫通孔８０ａに蓋１６の係止部７０を挿入する。係止部７０の凸部７０ｂに固定部材２０の突起８４が係止されることによって、固定部材２０に係止部７０を挿入した状態が維持され蓋１６が容器１２に固定される。
【００３８】
図８は蓋１６を開けた状態のヘアピンケース１０を示す側面図である。
【００３９】
図８を参照して、蓋１６を開けるにはまず固定部材２０を第３取付部３６を中心に揺動させ固定部材２０を蓋１６の係止部７０からはずす。そして、蓋１６を第２取付部７２を中心に揺動させかつ連結部材１８を容器１２の第１取付部３４を中心に揺動させて蓋１６を移動させる。このようにして蓋１６を開けることができる。
【００４０】
図９は蓋１６を容器１２の下に配置した状態を示す側面図である。また、図１０は蓋１６を容器１２の下に配置した状態を示す斜視図である。
【００４１】
図９および図１０を参照して、連結部材１８を容器１２の第１取付部３４を中心に揺動させかつ蓋１６を第２取付部７２を中心に揺動させると、蓋１６の上面４８が上を向いた状態で蓋１６は容器１２の下に配置される。つまり容器１２の下面３８と蓋１６の上面４６が対向するように蓋１６は容器１２の下に配置される。このとき、図７において蓋１６を固定していた固定部材２０を、容器１２の第３取付部３６を中心に揺動させる。そして、固定部材２０の貫通孔８０ａに容器１２の下に配置されている蓋１６の係止部７０を挿入する。蓋１６を閉じていたときと同様に、係止部７０に設けられた凸部７０ｂに固定部材２０の突起８４が係止されることによって固定部材２０に係止部７０を挿入した状態が維持され蓋１６が容器１２に固定される。蓋１６を容器１２の下に配置した状態のヘアピンケース１０では滑り止め部材６８が最下方に位置する。
【００４２】
このようなヘアピンケース１０では、容器１２と蓋１６とは常に連結部材１８によって連結されている。蓋１６を開けてヘアピンケース１０を使用する際には、蓋１６を第２取付部７２を中心に揺動させかつ連結部材１８を第１取付部３４を中心に揺動させると、蓋１６の上面４８が容器１２の下面３８に対向するように蓋１６が容器１２の下に配置される。このように蓋１６を容器１２から取り外すことなく容器１２と蓋１６とを連結したまま蓋１６を容器１２の下に容易に配置することができる。そのため、蓋１６を容器１２から取り外す手間が省けかつ蓋１６の紛失を防止できる。また、蓋１６を閉じる際にも蓋１６を容器１２に取り付ける手間が省ける。
【００４３】
蓋１６を容器１２の下に配置した状態のヘアピンケース１０では、容器１２の下に配置された蓋１６を別のヘアピンケース１０の容器１２の上に被せることができる。そのため、蓋１６を容器１２の下に配置した状態のヘアピンケース１０は、蓋１６を容器１２の下に配置した別のヘアピンケース１０の上に重ねることができる。たとえば、使用中の複数のヘアピンケース１０が置かれた机の上に別の物を置きたいとき、ヘアピンケース１０同士を重ねれば、机の上に別の物を置くための場所を確保することができる。
【００４４】
この実施形態のヘアピンケース１０では、滑り止め部材６８が蓋１６の下面６４に設けられる。蓋１６を容器１２の下に配置した状態のヘアピンケース１０をたとえば机の上に置くとき滑り止め部材６８が机に接する。ヘアピンケース１０が机の上を滑ることを滑り止め部材６８によって防止できるので、ヘアピンケース１０を使用する際にヘアピンケース１０が動くことを防止できる。
【００４５】
特許文献１に開示されているヘアピンケースでは、ケース本体の下面に滑り止め部材が設けられ、ヘアピンケースを使用する際にはヘアピンケースが動くことが滑り止め部材によって防止される。しかし、ケースカバーを取り外してケース本体の下に置くとケース本体の下面に設けられた滑り止め部材は機能しない。特許文献１ではケースカバーの上面に滑り止め部材を設けることも提案されているが、ケースカバーの上面およびケース本体の下面に設けられた滑り止め部材は、ケース本体をケースカバーによって閉じているとき、ヘアピンケースにおいて外側に突出する。このような場合、たとえば、ヘアピンケースを持ち運ぶとき、ヘアピンケースにおいて外側に突出した滑り止め部材に物が当たり、滑り止め部材が傷ついてしまう可能性が大きい。滑り止め部材が傷つくと、滑り止めとして機能しなくなったり、ヘアピンケースを置いたときにヘアピンケースが不安定になってしまうおそれがある。また、たとえば、ヘアピンケースを鞄に入れたり、ヘアピンケースの側面を下にしてヘアピンケースを立てて書棚にしまうとき、突出する滑り止め部材がヘアピンケースを収納しようとする空間の周りにある物（たとえば本など）に当たってしまうことがある。そのような場合、非常にヘアピンケースを空間に収納し難くなる。
【００４６】
この実施形態のヘアピンケース１０においては、滑り止め部材６８は、ヘアピンケース１０を閉じているときには容器１２の第１突出部３０と蓋１６の第２突出部４６との間に挟まれ外側に突出しない。そのため、ヘアピンケース１０を持ち運ぶとき滑り止め部材６８には物が当たりにくい。したがって、滑り止め部材６８が傷つくことを防止できる。また、たとえば、ヘアピンケース１０を鞄に入れるときやヘアピンケース１０を縦にして書棚にしまうとき、滑り止め部材６８がヘアピンケース１０において外側に突出する場合とは異なり、滑り止め部材６８は周りの物に接触しないので、ヘアピンケース１０を所望の空間に円滑に収納することができる。
【００４７】
蓋１６を固定する固定部材２０は、第３取付部３６を中心に揺動することによって、蓋１６が閉じた状態および蓋１６が容器１２の下に配置された状態の両方の状態で蓋１６を容器１２に固定することができる。蓋１６が閉じた状態においては、たとえば、ヘアピンケース１０を縦や上下逆さまにしても蓋１６が開くことはないため、ヘアピンケース１０の内部に収納されたヘアピンが飛び出してしまうことを防止できる。また、蓋１６が容器１２の下に配置される状態においては、たとえば、容器１２のみを掴んでヘアピンケース１０を持ち上げたとしても蓋１６が容器１２から宙吊りになることはなく、たとえば、蓋１６が他の物に当たったり、蓋１６に引っ張られてヘアピンケース１０が手から落ちてしまうことを防止できる。この実施形態のヘアピンケース１０では蓋１６を閉じた状態および蓋１６が容器１２の下に配置された状態のそれぞれにおいて別々の固定手段を設ける必要がない。したがって、ヘアピンケース１０の部品点数を削減することができ、ヘアピンケース１０の製造コストを削減することができる。
【００４８】
この実施形態のヘアピンケース１０では、容器１２の下面４０は凹凸形状を有している。たとえば、片手で容器１２を持ち、もう一方の手で蓋１６を開けるとき、下面４０の凹凸に指が引っ掛かり、下面４０が平坦な場合と比べて容器１２を持ちやすい。また、容器１２の下面４０を凹凸形状にすることによって容器１２の下面４０が平坦な場合に比べて容器１２の材料を節減することができる。
蓋１６の上面５０に筋状部５６を設けることによって、蓋１６を持つときに筋状部５６が滑り止めとして機能するため、蓋１６の上面５０が平坦な場合と比べて蓋１６を強固に（しっかりと）把持することができる。
【００４９】
ヘアピンケース１０の容器１２の収納部２４ｅおよび２４ｈに取り付けられたローラ２６は、内部に磁石を有するため、金属製のヘアピン（たとえばアメリカピンなど）を吸着することができる。ローラ２６に金属製のヘアピンを吸着させ、ローラ２６を回動させるとローラ２６に吸着されたヘアピンを上部に移動させることができる。そうすれば収納部２４ｅおよび２４ｈに収納されたヘアピンを容易に取り出すことができる。
【００５０】
細長い形状の収納部２４ｃおよび２４ｄを構成するための仕切り部２２に切欠部２８が形成されることによって、収納部２４ｃおよび２４ｄに指を入れ易くなり、収納部２４ｃおよび２４ｄに収納された、たとえばヘアピンや櫛などを容易に取ることができる。
【００５１】
この実施形態のヘアピンケース１０の容器１２および蓋１６を上方から見たときの外形寸法はほぼＡ４サイズである。そのため、側面を下にするようにヘアピンケース１０を立ててＡ４サイズの本を入れるための書棚に入れることができる。ヘアピンケース１０はＡ４サイズの本が並んだ書棚において並んだ本の間からはみ出すことはなく、書棚の体裁を乱すことを防止できる。
【００５２】
また、ヘアピンケース１０をリブ４４および５８が設けられた側面を下にして立てたとき、リブ４４，５８、第１突出部３０および第２突出部４６によってヘアピンケース１０は自立できる。そのため、書棚に本があまり入っていないときでもヘアピンケース１０を倒さずに立てて置くことができる。
【００５３】
なお、この実施形態のヘアピンケース１０において、容器１２は内部に収納部２４ａ〜２４ｈおよびローラ２６を含むが、収納部およびローラの数および形状は限定されず適宜変更することができる。
【００５４】
また、枠６６および滑り止め部材６８の数および形状についても限定されず適宜変更することができる。
【００５５】
滑り止め部材６８は、蓋１６の第２突出部４６の下面６４に設けられる場合に限定されず、下面６２に形成されてもよい。この場合、滑り止め部材６８は、蓋１６が容器１２の下に配置される状態において滑り止め部材６８の下面が最下方（下面６４と同位置またはそれよりも下方）に位置するように、形成されればよい。
【００５６】
上述の実施形態では、連結部材１８および固定部材２０はそれぞれ２つずつ備えられているが、２つに限定されるものではなく適宜数量を変更することができる。
【００５７】
上述の実施形態における長さＣ，Ｄ，ＥおよびＦの寸法は一例であり、適宜変更することができる。
【符号の説明】
【００５８】
１０      ヘアピンケース
１２      容器
１４      容器の上面
１６      蓋
１８      連結部材
２０      固定部材
２４ａ，２４ｂ，２４ｃ，２４ｄ，２４ｅ，２４ｆ，２４ｇ，２４ｈ      収納部
３０      第１突出部
３４      第１取付部
３６      第３取付部
３８      容器の下面
４４，５８      リブ
４６      第２突出部
４８      蓋の上面
６０      蓋の下面
６４      第２突出部の下面
６８      滑り止め部材
７０      係止部
７２      第２取付部
【図１】
2011167437.tif 000003
【図２】
2011167437.tif 000004
【図３】
2011167437.tif 000005
【図４】
2011167437.tif 000006
【図５】
2011167437.tif 000007
【図６】
2011167437.tif 000008
【図７】
2011167437.tif 000009
【図８】
2011167437.tif 000010
【図９】
2011167437.tif 000011
【図１０】
2011167437.tif 000012